(57)【要約】【課題】電話端末において、周囲環境に依存することなく、発信に対し相手が応答したことを瞬時に判断することを可能にする。【解決手段】主装置１において、各内線端末２の表示器を照明するバックライトの照明パターンを示すパラメータ情報と発信呼の処理状況とを対応付けて照明パターンテーブル１５１に予め登録しておくことで、内線端末２−１にて発信呼の送出操作がなされた場合に、制御部１４の処理状況検出部１４１にてその発信呼の処理状況を監視し、呼出中であればパラメータ情報送出部１４２にてこの呼出中に対応するパラメータ情報を照明パターンテーブル１５１から読み出して発信元の内線端末２−１に送出し、呼出中から発信相手先が応答した場合に応答に対応するパラメータ情報を照明パターンテーブル１５１から読み出して発信元の内線端末２−１に送出するようにしている。【選択図】    図１
2004336148.tif 000002
【特許請求の範囲】
【請求項１】
複数の内線を収容し、少なくとも１つの外線を接続可能とし、内線相互間または内線と外線との間の交換を行う電話交換装置と、前記内線の終端に接続されかつ処理状況を表す情報を表示する表示器、及び処理状態ごとに互いに異なる複数の照明形式の中から任意の照明形式が選択的に設定され、この設定された照明形式により前記表示器を照明する照明手段を有した電話端末とを備え、
前記電話交換装置に設けられ、前記照明形式を特定するパラメータ情報を発信呼の処理状況ごとに格納する記憶手段と、
前記電話交換装置に設けられ、前記電話端末にて他の電話端末への発信呼の送出操作がなされた場合に、この発信呼の処理状況を検出する処理状況検出手段と、
前記電話交換装置に設けられ、予め設定される所定の条件に応じて前記処理状況検出手段により検出された処理状況に対応するパラメータ情報を前記記憶手段から読み出し、このパラメータ情報を発信元の電話端末に送出するパラメータ情報送出手段と、
前記電話端末に設けられ、前記照明手段に対し前記電話交換装置から送出されるパラメータ情報に応じた照明形式で前記表示器を照明させるとともに、前記パラメータ情報が変更された場合に前記照明形式の変更を実行させる照明制御手段とを具備したことを特徴とする電話交換システム。
【請求項２】
それぞれ終端に電話端末が接続できる複数の内線を収容し、少なくとも１つの外線を接続可能とし、内線相互間または内線と外線との間の交換を行う電話交換装置であって、
前記電話端末が処理状況を表す情報を表示する表示器、及び処理状態ごとに互いに異なる複数の照明形式の中から任意の照明形式が選択的に設定され、この設定された照明形式により前記表示器を照明する照明手段を有するとき、
前記照明手段の照明形式を特定するパラメータ情報を発信呼の処理状況ごとに格納する記憶手段と、
前記電話端末にて他の電話端末への発信呼の送出操作がなされた場合に、この発信呼の処理状況を検出する処理状況検出手段と、
予め設定される所定の条件に応じて前記処理状況検出手段により検出された処理状況に対応するパラメータ情報を前記記憶手段から読み出し、このパラメータ情報を発信元の電話端末に送出するパラメータ情報送出手段とを具備したことを特徴とする電話交換装置。
【請求項３】
前記パラメータ情報送出手段は、前記所定の条件の判断に、前記処理状況検出手段により検出された処理状況の変化を用いることを特徴とする請求項２記載の電話交換装置。
【請求項４】
前記記憶手段は、複数の内線それぞれに対応付けて、前記発信呼の処理状況ごとのパラメータ情報を格納し、
前記パラメータ情報送出手段は、前記発信元の電話端末が接続される内線ごとに、前記処理状況検出手段により検出された処理状況に対応するパラメータ情報を前記記憶手段から読み出し、このパラメータ情報を発信元の電話端末に送出することを特徴とする請求項２記載の電話交換装置。
【請求項５】
前記電話端末からの要求に応じて、前記記憶手段に記憶されたパラメータ情報を更新する更新手段をさらに備えることを特徴とする請求項２記載の電話交換装置。
【請求項６】
前記パラメータ情報送出手段は、前記処理状況検出手段により発信相手先の電話端末の呼出中となった場合に、この呼出中に対応するパラメータ情報を前記記憶手段から読み出して発信元の電話端末に送出し、該呼出中から該発信相手先の電話端末からの応答が検出された場合に、この応答に対応するパラメータ情報を前記記憶手段から読み出して発信元の電話端末に送出することを特徴とする請求項２記載の電話交換装置。
【請求項７】
前記記憶手段に記憶されたパラメータ情報は、前記照明手段の点灯色、前記照明手段の点滅の有無のいずれか１つを特定することを特徴とする請求項２記載の電話交換装置。
【請求項８】
処理状況を表す情報を表示する表示器と、
処理状態ごとに互いに異なる複数の照明形式の中から任意の照明形式が選択的に設定され、この設定された照明形式により前記表示器を照明する照明手段と、
この照明手段の照明形式を特定するパラメータ情報を発信呼の処理状況ごとに格納する記憶手段と、
他の電話端末への発信呼の送出操作がなされた場合に、この発信呼の処理状況を検出する処理状況検出手段と、
予め設定される所定の条件に応じて前記処理状況検出手段により検出された処理状況に対応するパラメータ情報を前記記憶手段から読み出し、前記照明手段に対し該パラメータ情報に応じた照明形式で前記表示器を照明させるとともに、前記パラメータ情報が変更された場合に前記照明形式の変更を実行させる照明制御手段とを具備したことを特徴とする電話端末装置。
【請求項９】
前記記憶手段に記憶されたパラメータ情報は、前記照明手段の点灯色、前記照明手段の点滅の有無のいずれか１つを特定することを特徴とする請求項８記載の電話端末装置。
【請求項１０】
前記照明制御手段は、前記所定の条件の判断に、前記処理状況検出手段により検出された処理状況の変化を用いることを特徴とする請求項８記載の電話端末装置。
【発明の詳細な説明】
【０００１】
【発明の属する技術分野】
この発明は、例えばＬＣＤ（Ｌｉｑｕｉｄ  Ｃｒｙｓｔａｌ  Ｄｉｓｐｌａｙ）のバックライト機能を備えた電話機を使用する電話交換システムとその電話交換装置、及び電話端末装置に関する。
【０００２】
【従来の技術】
従来よりオフィスビルや事業所では、電話交換装置が多く使用されている。この種の電話交換装置は、例えば電話機等を内線端末として収容し、この内線端末と公衆網等の外部通信網との間及び内線端末相互間を交換接続して通話を可能にしている。
【０００３】
一方、近年の電話交換装置では、高機能化のため、ＬＣＤ表示器及びこのＬＣＤ表示器を照明するためのバックライトを備えた多機能電話機が接続可能となっている（例えば特許文献１）。このバックライト機能は、例えば携帯電話機のように外に持ち運んで、電子メールの送受信やインターネット上のホームページ等へのアクセスを行うことができる通信端末にとって、暗い場所でもＬＣＤ表示器を光らせることができるので、大変便利である。また携帯電話機にあっては、着信が到来するとＬＣＤ表示器が光るので、ユーザは如何なる場所にいようとも即時に着信であることを認識することができる（例えば特許文献２）。
【０００４】
【特許文献１】
特開平９−２９４１５４号公報
【０００５】
【特許文献２】
特開２００２−１３５３６８号公報。
【０００６】
【発明が解決しようとする課題】
ところで、上記多機能電話機は、オンフックダイヤル機能を備えている。このオンフックダイヤル機能は、受話器を持たずに相手を呼び出し、相手が応答し相手の声が電話機のスピーカより聞こえた場合に、受話器をとって話ができる機能である。しかし、多少の雑音のある環境では相手が応答した時の相手の声が聞こえ難いという問題がある。
【０００７】
一方、上記多機能電話機は、ＬＣＤ表示器に呼出中、通話中、相手話中、ダイヤル中を表示する機能を有している。しかし、ＬＣＤ表示器に表示される文字から呼出中か相手が応答したかを瞬時に判断することが困難という問題がある。
【０００８】
そこで、この発明の目的は、周囲環境に依存することなく、発信に対し相手が応答したことを瞬時に判断し得る電話交換システムとその電話交換装置、及び電話端末装置を提供することにある。
【０００９】
【課題を解決するための手段】
この発明は、上記目的を達成するために、以下のように構成される。
（１）複数の内線を収容し、少なくとも１つの外線を接続可能とし、内線相互間または内線と外線との間の交換を行う電話交換装置と、内線の終端に接続されかつ処理状況を表す情報を表示する表示器、及び処理状態ごとに互いに異なる複数の照明形式の中から任意の照明形式が選択的に設定され、この設定された照明形式により表示器を照明する照明手段を有した電話端末とを備え、電話交換装置に設けられ、照明形式を指定するパラメータ情報を発信呼の処理状況ごとに格納する記憶手段と、電話交換装置に設けられ、電話端末にて他の電話端末への発信呼の送出操作がなされた場合に、この発信呼の処理状況を検出する処理状況検出手段と、電話交換装置に設けられ、予め設定される所定の条件に応じて処理状況検出手段により検出された処理状況に対応するパラメータ情報を記憶手段から読み出し、このパラメータ情報を発信元の電話端末に送出するパラメータ情報送出手段と、電話端末に設けられ、照明手段に対し電話交換装置から送出されるパラメータ情報の指定に応じた照明形式で表示器を照明させるとともに、パラメータ情報の指定が変更された場合に照明形式の変更を実行させる照明制御手段とを備えるようにしたものである。なお、パラメータ情報送出手段は、前記所定の条件の判断に、前記処理状況検出手段により検出された処理状況の変化を用いることを特徴とする。
【００１０】
（１）の発明によれば、表示器を照明する照明器の照明パターンと処理状況とを対応付けて電話交換装置の記録媒体に予め登録しておくことにより、電話端末にて発信呼の送出操作がなされた場合に、発信呼の処理状況が監視され、呼出中であればこの呼出中に対応するパラメータ情報が記録媒体から読み出されて発信元の電話端末に送信され、呼出中から発信相手先が応答した場合に応答に対応するパラメータ情報が記録媒体から読み出されて発信元の電話端末に送信される。これにより発信元の電話端末にて処理状況に応じた照明形式で表示器の照明を行うことができる。
【００１１】
従って、発信元の電話端末のユーザは、雑音が多い周囲状況にあっても、電話端末の表示器の照明を見ることにより、即座に相手が応答したことを認識することができる。また、相手通話中であったり、留守録になっていた場合にも、その処理状況に応じて照明パターンを変えることにより、表示器の照明を見ることで即座に判断できる。
【００１２】
（２）記憶手段は、複数の内線それぞれに対応付けて、発信呼の処理状況ごとのパラメータ情報を格納し、パラメータ情報送出手段は、発信元の電話端末が接続される内線ごとに、処理状況検出手段により検出された処理状況に対応するパラメータ情報を記憶手段から読み出し、このパラメータ情報を発信元の電話端末に送出することを特徴とする。
【００１３】
（２）の発明によれば、照明形式を指定するパラメータ情報を内線毎に記録媒体に登録しておくことで、ある内線の電話端末については、処理状況に応じて点灯色を変えるようにし、一方別の内線の電話端末については、１つの色にのみ対応する照明器しか備えていないので、処理状況に応じて表示器の照明を点滅させるというように、内線ごとに最適な照明処理を行うことができる。
【００１４】
（３）電話端末からの要求に応じて、記憶手段に記憶されたパラメータ情報を更新する更新手段をさらに備えることを特徴とする。
（３）の発明によれば、各内線ごとにその使用状況に適したパラメータ情報の変更を行うことができる。
【００１５】
【発明の実施の形態】
以下、この発明の実施形態について図面を参照して詳細に説明する。
図１は、この発明に係わる交換システムの一実施形態の構成を示すブロック図である。
【００１６】
交換システムは、同図に示すように、主装置１に、複数（最大ｉ個）の内線端末２（２−１〜２−ｉ）を任意に接続して構成されている。これら内線端末２としては、ダイヤルキーのみを設けた標準電話機が使用される。
【００１７】
主装置１は、さらに、タイムスイッチ１１、複数（ｊ個）の局線インタフェース回路１２（１２−１〜１２−ｊ）、複数（ｉ個）の内線インタフェース回路１３（１３−１〜１３−ｉ）、制御部１４、記憶部１５及びデータハイウェイインタフェース部１６を備えており、タイムスイッチ１１、局線インタフェース回路１２、内線インタフェース回路１３は、ＰＣＭハイウェイ１７を介して互いに接続されている。
【００１８】
また、局線インタフェース回路１２、内線インタフェース回路１３及びデータハイウェイインタフェース部１６は、データハイウェイ１８を介して互いに接続されている。さらに、制御部１４、記憶部１５及びデータハイウェイインタフェース部１６は、ＣＰＵバス１９を介して互いに接続されている。なお、タイムスイッチ１１は、制御部１４に直接接続されている。
【００１９】
タイムスイッチ１１は、制御部１４の制御に基づいてＰＣＭハイウェイ１７上のタイムスロットの入れ替えを行なうことによって、局線インタフェース回路１２及び内線インタフェース回路１３を任意に交換接続する。
【００２０】
局線インタフェース回路１２には、局線Ｌ（Ｌ−１〜Ｌ−ｊ）が必要に応じて接続される。局線インタフェース回路１２は、接続された局線Ｌに関するインタフェース動作を行なう。また、局線インタフェース回路１２は、上記インタフェース動作に係わる種々の制御情報の授受を、データハイウェイ１８、データハイウェイインタフェース部１６及びＣＰＵバス１９を介して制御部１４との間で行なう。
【００２１】
内線インタフェース回路１３には、内線端末２が必要に応じて接続される。内線インタフェース回路１３は、接続された内線端末２に関する内線インタフェース動作を行なう。内線インタフェース動作は、内線端末２から出力されるＰＣＭ信号のＰＣＭハイウェイ１７からの抽出、内線端末２の状態監視や、内線端末２に対する種々の信号の送出などである。また、内線インタフェース回路１３は、上記内線インタフェース動作に係わる種々の制御情報の授受を、データハイウェイ１８、データハイウェイインタフェース部１６及びＣＰＵバス１９を介して制御部１４との間で行なう。
【００２２】
制御部１４は、記憶部１５に格納されている動作プログラムに基づいた処理を行なうことで、タイムスイッチ１１、局線インタフェース回路１２及び内線インタフェース回路１３のそれぞれを総括制御し、主装置１としての動作を実現する。
【００２３】
記憶部１５は、制御部１４の動作プログラムや、その他の永続的に使用される各種のデータを記憶している。
【００２４】
データハイウェイインタフェース部１６は、データハイウェイ１８とＣＰＵバス１９との間でのデータの授受を行なう。
【００２５】
ところで、この実施形態の制御部１４には、処理状況検出部１４１と、パラメータ情報送出部１４２と、更新制御部１４３とを備えている。さらに、記憶部１５には、照明パターンテーブル１５１が備えられる。照明パターンテーブル１５１には、図２に示すように、内線端末２を示す情報（内線番号）と、内線端末２に対応付けて発信呼の送出がなされた場合の処理状況「呼出中」「応答」「通話中」「留守録」を示す状況情報と、この状況情報に応じた照明パターンを指定するパラメータ情報とが記憶されている。
【００２６】
処理状況検出部１４１は、内線端末２−１にて他の内線端末２−３への発信呼の送出操作がなされた場合に、この発信呼の処理状況、つまり「呼出中」であるか「応答」であるかの検出を行う。
【００２７】
パラメータ情報送出部１４２は、例えば内線端末２−１にて発信が行われて呼出中になった場合に、処理状況検出部１４１により検出される「呼出中」に対応するパラメータ情報「赤」を照明パターンテーブル１５１から読み出し、このパラメータ情報を発信元の内線端末２−１に送出する。そして、処理状況検出部１４１にて「呼出中」から「応答」への変化が検出された場合に、「応答」に対応するパラメータ情報「緑」を照明パターンテーブル１５１から読み出し、このパラメータ情報を発信元の内線端末２−１に送出する。
【００２８】
更新制御部１４３は、例えば内線端末２−４から更新要求が到来した場合に、この更新要求内容に応じて、照明パターンテーブル１５１中の内線端末２−４に対応するパラメータ情報を「赤」から「緑」へ、または「緑」から「黄」に変更する。
【００２９】
また、内線端末２は、図３に示すような構成である。図３において、符号２０は内線端末２−１の端末本体で、その前面パネル部には、ＬＣＤ等を使用した表示器２１が配置され、さらにこの表示器２１の下方パネル部には機能キー２２、ダイヤルキー２３が配設されている。
【００３０】
一方、内線端末２の回路構成は次のようになっている。図４はその構成を示す回路ブロック図である。
同図に示すように内線端末２は、ピンポン伝送部３１、通話処理部３２、ハンドセット３３、制御部３４、操作パネル３５及びバックライト３６を有している。
【００３１】
ピンポン伝送部３１は、主装置１との間でピンポン伝送により種々のデータの授受を行なう。また、ピンポン伝送部３１は、主装置１から送られてきた伝送信号中からシリアル通話信号やシリアルＤｃｈ信号を抽出し、シリアル通話信号を通話処理部３２へ、シリアルＤｃｈ信号を制御部３４へとそれぞれ与える。さらにピンポン伝送部３１は、通話処理部３２や制御部３４から与えられるシリアルデータ信号を時分割多重して伝送信号を生成し、送信する。
【００３２】
通話処理部３２は、ピンポン伝送部３１から与えられるシリアル通話信号に含まれる通話データを取り出して、この通話データからアナログの受話音声信号を再生する。そして、通話処理部３２は、この再生した受話音声信号によりハンドセット３３の受話器２４を駆動し、受話音声の出力を行なわせる。また、通話処理部３２には、ハンドセット３３の送話器で生成されたアナログの送話音声信号が入力される。通話処理部２２は、この送話音声信号を所定形態のシリアル通話信号に変換して、ピンポン伝送部３１へと与える。
【００３３】
制御部３４は、ＣＰＵ、ＲＯＭ、ＲＡＭなどを有して構成され、ソフトウェア処理により本内線端末２の各部の制御や主装置１との間でのデータ通信処理を行なう。
操作パネル３６は、機能キー２１、ダイヤルキー２３による制御部３４に対する各種の指示入力を受け付けたり、ユーザに対する各種の情報報知を制御部３４の制御の下に行なう。
【００３４】
バックライト３６は、表示器２１を照明するためのものである。
【００３５】
ところで、この実施形態では、制御部３４にバックライト制御部３４１を設けている。このバックライト制御部３４１は、バックライト３６に対し主装置１から送出されるパラメータ情報の指定に応じた照明パターンで表示器２１を照明させるとともに、パラメータ情報の指定が変更された場合に照明パラメータの変更を実行させる。
【００３６】
次に、上記構成による動作について説明する。
以前より電話交換システムにあっては、オンフックダイヤルにより例えば内線端末２−１から内線端末２−６に対し発信を行なわれた場合に、内線端末２−１の表示器２１には相手が応答したのか、未だ呼出中かの表示を行う機能を備えているが、その処理状況を判断するには表示されている文字を読まなければならず判断しにくいという不具合もある。また、内線端末２−１の表示器２１にはバックライト３６が設けられているが、省電力のため、ダイヤルしてからしばらくすると消灯する機種もあり、この点から相手応答を表示文字から判断するのが難しい。
【００３７】
また、内線端末２−１には通話音量を調整する機能もあるが、局線Ｌ−１への発信が行なわれた場合には、通話レベルが相手公衆網内でのレベルや相手電話機の特性によりまちまちであるため、少々騒然として事務環境においては相手からの応答の声が聞きにくいこともある。
【００３８】
そこで、本実施形態では、例えば内線端末２−１のユーザがバックライト３６の照明パターンを見て即座に相手応答を判断できるようにした。
図５は、バックライト３６の照明パターンを変更する際の主装置１の制御部１４の処理手順を示すフローチャートである。
【００３９】
ここで、内線端末２−１のユーザが内線端末２−５に対しオンフックダイヤルによる発信操作を行い（ステップＳＴ５ａ）、内線端末２−５のダイヤル番号を入力したとする（ステップＳＴ５ｂ）。そうすると、主装置１の制御部１４は、ダイヤル番号が押下されたことを認識して発信元の内線端末２−１の表示器２１にそのダイヤル番号を表示させてバックライト３６を「赤」に点灯させ（ステップＳＴ５ｃ）、内線端末２−５の呼出しを行い（ステップＳＴ５ｄ）、内線端末２−５のユーザが応答するか否かの判断を行う（ステップＳＴ５ｅ）。
【００４０】
そして、内線端末２−５のユーザが着信応答したならば（Ｙｅｓ）、制御部１４は発信元の内線端末２−１のバックライト３６を「緑」に点灯させ（ステップＳＴ５ｆ）、内線端末２−１のユーザがオフフックしたならば、内線端末２−１と発信先の内線端末２−５との間に通信リンクを形成する（ステップＳＴ５ｇ）。
【００４１】
かくして、内線端末２−１のユーザは、表示器２１を見て即座に相手が応答したことを認識でき、これにより相手と通話を行うことができる。
【００４２】
以上のように上記実施形態では、主装置１において、各内線端末２の表示器２１を照明するバックライト３６の照明パターンを示すパラメータ情報と発信呼の処理状況とを対応付けて照明パターンテーブル１５１に予め登録しておくことにより、内線端末２−１にてオンフックダイヤル機能による発信呼の送出操作がなされた場合に、制御部１４の処理状況検出部１４１にてその発信呼の処理状況を監視し、呼出中であればパラメータ情報送出部１４２にてこの呼出中に対応するパラメータ情報を照明パターンテーブル１５１から読み出して発信元の内線端末２−１に送出し、呼出中から発信相手先が応答した場合に応答に対応するパラメータ情報を照明パターンテーブル１５１から読み出して発信元の内線端末２−１に送出するようにしている。
【００４３】
従って、発信元の内線端末２−１にて主装置１から送出されるパラメータ情報に基づき処理状況に応じた照明形式でバックライト３６に表示器２１の照明を行わせることができるので、発信元の電話端末のユーザは、雑音が多い周囲状況にあっても、内線端末２−１の表示器２１の照明を見ることにより、即座に相手が応答したことを認識することができる。また、相手話中であったり、留守録になっていた場合にも、その処理状況に応じてバックライト３６による照明パターンを変えることにより、表示器２１の照明を見ることで即座に判断できる。
【００４４】
また、上記実施形態によれば、バックライト３６の照明パターンを示すパラメータ情報を内線毎に照明パターンテーブル１５１に登録しておくことで、内線端末２−１については、処理状況に応じてバックライト３６の点灯色を変えるようにし、一方内線端末２−２については、１つの色のみしか点灯しないバックライト３６しか備えていないため、処理状況に応じてバックライト３６により表示器２１の照明を点滅させるというように、内線ごとに最適な照明処理を行うことができる。
【００４５】
さらに、上記実施形態によれば、内線端末２−１にて照明パターンテーブル１５１中の該内線端末２−１に対応するパラメータ情報を更新することができ、これにより使用状況に応じた設定変更が可能となる。
【００４６】
なお、この発明は上記実施形態に限定されるものではない。例えば上記実施形態では、内線端末２−１にてオンフックダイヤル機能により発信操作が行われた場合に、バックライト３６の照明パターンを見て相手応答を判断する例について説明した。これに限ることなく、通常の発信操作を行った場合にも適用可能である。この場合、騒然とした環境内で相手からの応答の声が聞き取りにくい時に、バックライト３６の照明パターンを見ることにより音量調整等の対応処置を即座に実行できる。
【００４７】
また、上記実施形態では、例えば呼出中から応答に切り替わった際に、発信元の内線端末に対し、その応答に対応する照明パターンのパラメータ情報を送出する例について説明したが、これに限ることなく、発信が行なわれてから一定時間間隔でパラメータ情報を発信元の内線端末に対し送出するようにしてもよい。
【００４８】
なお、この発明は上記実施形態のような電話交換システム以外に、例えば図６に示すように携帯電話機を使用した移動通信システムにも適用可能である。
図６において、図中符号４００は携帯電話機で、表示部４０１と、バックライト４０２と、照明パターン記憶部４０３と、処理状況検出部４０４と、バックライト制御部４０５とを備えている。このうち表示部４０１には、発信や着信、応答や通話中等の所定の状況情報が表示される。また、この表示部４０１もバックライト４０２により照明されることになる。
【００４９】
照明パターン記憶部４０３には、発信呼の送出がなされた場合の処理状況「呼出中」「応答」「通話中」「留守録」を示す状況情報と、この状況情報に応じた照明パターンを指定するパラメータ情報とが記憶されている。
【００５０】
処理状況検出部４０４は、ユーザにより他の電話機への発信呼の送出操作がなされた場合に、この発信呼の処理状況、つまり「呼出中」であるか「応答」であるかの検出を行う。
バックライト制御部４０５は、例えば発信が行われて呼出中になった場合に、処理状況検出部４０４により検出される「呼出中」に対応するパラメータ情報「赤」を照明パターン記憶部４０３から読み出し、このパラメータ情報に従ってバックライト４０２を「赤」に点灯させる。そして、処理状況検出部４０４により「呼出中」から「応答」への変化が検出された場合に、「応答」に対応するパラメータ情報「緑」を照明パターン記憶部４０３から読み出し、このパラメータ情報に従ってバックライト４０２の点灯色を「赤」から「緑」に変更させる。
【００５１】
すなわち、携帯電話機４００から相手の電話機に対し発呼したとする。そうすると、先ず携帯電話機４００と最寄りの基地局との間が無線回線を介して接続され、続いてこの基地局から公衆網を介して相手の電話機に着信信号が送出されて着信報知が行なわれる。このとき、バックライト４０２は「赤」に点灯される。そして、着信報知に対し相手の電話機が応答すると、携帯電話機４００と相手の電話機との間に通信リンクが確立され、バックライト４０２の点灯色が「赤」から「緑」に点灯される。
【００５２】
なお、この携帯電話機４００において、バックライト４０２の点灯色を変更するようにしたが、これ以外に、バックライト４０２を点滅させるようにしてもよい。
さらに、携帯電話機４００以外にも交換機に依らず電話機単独で動作する例えばＩＰ電話機にも適用可能である。
【００５３】
その他、交換システムの構成及び種類、主装置の構成、内線端末の種類及び構成、携帯電話機の種類及び構成、照明パターンテーブルの記憶内容、バックライトの照明制御手順及び制御内容等についても、この発明の要旨を逸脱しない範囲で種々変形して実施できる。
【００５４】
【発明の効果】
以上詳述したようにこの発明によれば、周囲環境に依存することなく、発信に対し相手が応答したことを瞬時に判断し得る電話交換システムとその電話交換装置、及び電話端末装置を提供することができる。
【図面の簡単な説明】
【図１】この発明に係わる交換システムの一実施形態の構成を示すブロック図。
【図２】図１に示した照明パターンテーブルの記憶内容の一例を示す図。
【図３】同実施形態において、内線端末の概観構成を示す図。
【図４】同実施形態において、内線端末の内部構成を示すブロック図。
【図５】同実施形態において、バックライトの照明パターンを制御する際の主装置の制御部の制御手順及び制御内容を示すフローチャート。
【図６】この発明の他の実施形態に係る携帯電話機の構成を示す機能ブロック図。
【符号の説明】
１…主装置、２（２−１〜２−ｉ）…内線端末、１１…タイムスイッチ、１２（１２−１〜１２−ｊ）…局線インタフェース回路、１３（１３−１〜１３−ｉ）…内線インタフェース回路、１４…制御部、１５…記憶部、１６…データハイウェイインタフェース部、１７…ＰＣＭハイウェイ、１８…データハイウェイ、１９…ＣＰＵバス、２０…端末本体、２１…表示器、２２…機能キー、２３…ダイヤルキー、３１…ピンポン伝送部、３２…通話処理部、３３…ハンドセット、３４…制御部、３５…操作パネル、３６…バックライト、１４１…処理状況検出部、１４２…パラメータ情報送出部、１４３…更新制御部、１５１…照明パターンテーブル、３４１…バックライト制御部、４００…携帯電話機、４０１…表示部、４０２…バックライト、４０３…照明パターン記憶部、４０４…処理状況検出部、４０５…バックライト制御部、Ｌ（Ｌ−１〜Ｌ−ｊ）…局線。
【図１】
2004336148.tif 000003
【図２】
2004336148.tif 000004
【図３】
2004336148.tif 000005
【図４】
2004336148.tif 000006
【図５】
2004336148.tif 000007
【図６】
2004336148.tif 000008